(57)【要約】【課題】  タブを形成しながら切断できるテープカッターを提供する。【解決手段】  前端壁・後端壁共に、壁面上端中央域に限って切り欠かれた形で、左右に間隔をおいて対向し合う支柱、即ちテープ台前方支柱及びテープ台後方支柱を形成し、テープ台後方支柱の左右上端域内側に、水平で前後に細長状の小溝即ち軸受孔を設け、この左右の軸受孔に渡し架ける形で軸即ちアーム板支軸を設け、このアーム板支軸に一端を軸支させて、前方へテープ台の前後の長さと同じ長さで伸びている板体即ちアーム板を設け、アーム板の前方先端部に、下面から数ミリ下方へ突き出た地点で後方へ折り返した形で切断刃を設け、テープ台前方支柱の上端域内側に、ネジ目状の棒即ちテープ受けバーを設けてあることを特徴とするタブを形成するテープカッター。【選択図】図１
2020172394.tif 000002
【特許請求の範囲】
【請求項１】
前端壁及び後端壁がプーリーに装着されたテープの頭頂よりも高く、且つ、前端壁・後端壁共に、壁面上端中央域に限って切り欠かれた形で、左右に間隔をおいて対向し合う支柱、即ちテープ台前方支柱及びテープ台後方支柱を形成してあるが、
テープ台後方支柱の左右上端域内側に、水平で前後に細長状の小溝即ち軸受孔を設けてあり、この左右の軸受孔に渡し架ける形で軸即ちアーム板支軸を設け、このアーム板支軸に一端を軸支させて、前方へテープ台の前後の長さと同じ長さで伸びている板体即ちアーム板を設けてあり、
アーム板の前方先端部に、下面から数ミリ下方へ突き出た地点で後方へ折り返した形で切断刃を設けてあるが、この折り返しから刃先までの長さが、形成されるタブの長さに相当するのであり、
テープ台前方支柱の上端域内側で、左右から各々数ミリの長さで対向側に突き出た形で、ネジ目状の棒即ちテープ受けバーを設けてあることを特徴とするタビを形成するテープカッター。
【請求項２】
軸受孔を水平ではなく、後方よりも前方が下方となるよう斜めに設けることにより、アーム板を前方へスライドし易くしたことを特徴とする請求項１に記載のタブを形成するテープカッター。
【発明の詳細な説明】
【技術分野】
【０００１】  本発明は、使用中に自ずとタブを形成するテープカッターに関するものである。
【背景技術】
【０００２】  従来、手指で摘めるタブを形成するには、テープを切断後に、先端を折り返して接着していた。
また、バネやプレートを使用して粘着部同士を接着させるテープカッターがあった（特許文献１参照）。
【先行技術文献】
【特許文献】
【０００３】
【特許文献１】特開２０１８−１７７５２３号公報
【発明の概要】
【発明が解決しようとする課題】
【０００４】  それには次のような問題点があった。
（イ）構造が複雑であるため、操作やメンテナンスが難しかった。
（ロ）操作手順が多く、タブを形成して切断するまでに手間が掛かった。
本発明は、これらの問題点を解決するためになされたものである。
【課題を解決するための手段】
【０００５】  後端壁寄りにプーリーが設置され、プーリーに装着されたテープを引き出してカットする切断刃を前端壁に備えた卓上用のテープカッター台において、前端壁及び後端壁がプーリーに装着されたテープの頭頂よりも高く、且つ、前端壁・後端壁共に、壁面上端中央域に限って切り欠かれた形で、左右に間隔をおいて対向し合う支柱即ちテープ台前方支柱及びテープ台後方支柱を形成してある。
テープ台後方支柱の左右上端域内側に、水平で前後に細長状の小溝即ち軸受孔を設けてあり、この左右の軸受孔に渡し架ける形で軸即ちアーム板支軸を設け、このアーム板支軸に一端を軸支させて、前方へテープ台の前後の長さと同じ長さで伸びている板体即ちアーム板を設けてある。
アーム板の前方先端部に、下面から数ミリ下方へ突き出た地点で後方へ折り返した形で切断刃を設けてあるが、この折り返しから刃先までの長さが、形成されるタブの長さに相当する。
テープ台前方支柱の上端域内側で、左右から各々数ミリの長さで対向側に突き出た形で、ネジ目状の棒即ちテープ受けバーを設けてある。
以上を特徴とするタブを形成するテープカッターである。
【発明の効果】
【０００６】  アーム板を後方へスライドさせるだけの簡単な操作で、タブを手間なく短時間で形成することができる。
テープの交換要領が、従来の卓上型テープカッターとほぼ変わらないため容易である。
また、構造も単純なので耐久性に優れ、部品交換などのメンテナンスも容易である。
【図面の簡単な説明】
【０００７】
【図１】本発明の斜視図
【図２】本発明の断面図
【図３】本発明の正面図
【図４】本発明の一部であるアーム板の側面図
【図５】図４に示されたアーム板の平面図
【図６】本発明の一部であるアーム板支軸及び軸受孔周辺を分かり易く示した部分拡大断面図
【図７】本発明の一部であるテープ切断刃周辺を分かり易く示した部分拡大断面図
【発明を実施するための形態】
【０００８】  以下、本発明の実施の形態について説明する。
後端壁寄りにプーリーが設置され、プーリーに装着されたテープを引き出してカットする切断刃を前端壁に備えた卓上用のテープカッター台において、前端壁及び後端壁がプーリー（３）に装着されたテープ（４）の頭頂よりも高く、且つ、前端壁・後端壁共に、壁面上端中央域に限って切り欠かれた形で、左右に間隔をおいて対向し合う支柱、即ちテープ台前方支柱（９）及びテープ台後方支柱（１０）を形成してある。
テープ台後方支柱（１０）の左右上端域内側に、水平で前後に細長状の小溝即ち軸受孔（２）を設けてあり、この左右の軸受孔（２）に渡し架ける形で軸即ちアーム板支軸（６）を設け、このアーム板支軸（６）に一端を軸支させて、前方へテープ台（１）の前後の長さと同じ長さで伸びている板体即ちアーム板（５）を設けてある。
アーム板（５）の前方先端部に、下面から数ミリ下方へ突き出た地点で後方へ折り返した形で切断刃（７）を設けてあるが、この折り返しから刃先までの長さが、形成されるタブの長さに相当する。
テープ台前方支柱（９）の上端域内側で、左右から各々数ミリの長さで対向側に突き出た形で、ネジ目状の棒即ちテープ受けバー（８）を設けてある。
本発明は以上のような構成である。
本発明を使用するときは、アーム板（５）を回転させて、テープ台（１）の後方に降ろした状態で、テープ（４）をプーリー（３）に装着し、テープ台（１）に設定してテープ（４）を引き出す。
引き出したテープ（４）の左右両端を、切断する位置でテープ受けバー（８）に接着する。
アーム板（５）を回転させて、テープ受けバー（８）に当たる手前で前方にスライドさせる。
アーム板（５）とテープ受けバー（８）でテープ（４）を挟んだ状態で、テープ（４）の先端を手指で摘みながら、アーム板（５）を後方へスライドさせる。
この操作によりアーム板（５）と切断刃（７）でテープ受けバー（８）を包み込む形となり、テープ受けバー（８）を軸にしてテープ（４）が折り返される。
この状態でテープ（４）を前方へ引いて切断する。
テープ（４）を切断後、アーム板（５）を前方にスライドしてから上方へ回転させる。
テープ（４）に折り返し部が形成されているので、テープ受けバー（８）の間に手指を入れて、テープ（４）を上下に接着させることによってタブを形成する。
次のテープ（４）を引き出す際は、テープ受けバー（８）の間に形成されたタブを、手指で摘んで引っ張り出す。
【符号の説明】
【０００９】  １  テープ台
２  軸受孔
３  プーリー
４  テープ
５  アーム板
６  アーム板支軸
７  切断刃
８  テープ受けバー
９  テープ台前方支柱
１０  テープ台後方支柱
【図１】
2020172394.tif 000003
【図２】
2020172394.tif 000004
【図３】
2020172394.tif 000005
【図４】
2020172394.tif 000006
【図５】
2020172394.tif 000007
【図６】
2020172394.tif 000008
【図７】
2020172394.tif 000009